(57)【要約】      （修正有）【課題】従来の楽器のものと同じ操作によって演奏することが可能であり、また、正確な音階情報および音量情報を取得することのできる管楽器シンセサイザコントローラを提供する。【解決手段】マイクロホン４１、呼気強度測定部４２、およびコントローラ４３を含む。マイクロホン４１は、吹き込まれる呼気によって生成される音を検出する。呼気強度測定部４２は、検出された音響信号に基づいて呼気の強度を測定する。コントローラ４３は、測定された呼気強度に基づいて音量情報を生成する。音量情報は、少なくともノートオン、ノートオフ、およびベロシティを含む。【選択図】図１
2015079245.tif 000002
【特許請求の範囲】
【請求項１】
吹き込まれる呼気によって生成される音を検出するマイクロホンと、
検出された音響信号に基づいて前記呼気の強度を測定する呼気強度測定部と、
前記測定された呼気強度に基づいて音量情報を生成するコントローラと、
を備え、
前記音量情報は、少なくともノートオン、ノートオフ、およびベロシティを含む管楽器シンセサイザコントローラ。
【請求項２】
前記呼気強度測定部は、前記検出された音響信号にフィルタ処理を行い、定められたカットオフ周波数の周波数帯域またはそれよりも低い周波数帯域を通し、前記フィルタ処理された周波数帯域に対する第１ＤＣ出力電圧を算出し、前記第１ＤＣ出力電圧を第１呼気強度として測定する、請求項１に記載の管楽器シンセサイザコントローラ。
【請求項３】
前記フィルタ処理された周波数帯域は、２０から１００Ｈｚの範囲内の周波数帯域である請求項２に記載の管楽器シンセサイザコントローラ。
【請求項４】
前記算出された第１ＤＣ出力電圧の値が第１閾値よりも小さい場合、前記コントローラはノートオフ情報を生成し、前記算出された第１ＤＣ出力電圧の値が前記第１閾値よりも小さくない場合、前記コントローラはノートオン情報を生成する請求項３に記載の管楽器シンセサイザコントローラ。
【請求項５】
前記第１ＤＣ出力電圧が定められた閾値よりも小さくない場合、前記呼気強度測定部は、前記マイクロホンによって検出された前記音響信号に対する第２ＤＣ出力電圧を算出し、前記第２ＤＣ出力電圧を第２呼気強度として測定する請求項２に記載の管楽器シンセサイザコントローラ。
【請求項６】
前記呼気強度測定部は、前記第２ＤＣ出力電圧からノイズを除去するフィルタ部をさらに備える請求項５に記載の管楽器シンセサイザコントローラ。
【請求項７】
前記コントローラは、前記算出された第２呼気強度に対応する音に関するベロシティ情報を生成する請求項５または６に記載の管楽器シンセサイザコントローラ。
【請求項８】
少なくとも１つの運指孔に対応する位置において運指孔から離れて設けられ、前記運指孔との指の接触を検出する近接センサをさらに備え、
前記コントローラは、前記近接センサの検出情報に基づいて音階情報を生成する請求項１に記載の管楽器シンセサイザコントローラ。
【請求項９】
前記近接センサは、赤外線および識別情報を送出および受け取る非接触センサであり、前記赤外線、または前記赤外線と前記識別情報とが受け取られた場合、前記近接センサが検出情報を生成する請求項８に記載の管楽器シンセサイザコントローラ。
【請求項１０】
前記コントローラは、前記近接センサからの前記検出情報に対して前記識別情報が受け取られたかどうかをチェックし、前記識別情報を受け取ったことが承認された場合に運指情報を結び付け、前記結び付けられた運指情報に対応する音階情報を生成する請求項９に記載の管楽器シンセサイザコントローラ。
【請求項１１】
前記近接センサは、赤外線および識別情報を送出する非接触センサであり、前記運指孔と接触している指によって反射された赤外線および識別情報を受け取り、前記識別情報を受け取ったことが承認された場合、検出情報を生成する請求項８に記載の管楽器シンセサイザコントローラ。
【請求項１２】
前記コントローラは、前記近接センサからの前記検出情報に基づいて少なくとも１つの運指孔に関する運指情報を結び付け、前記結び付けられた運指情報に対応する音階情報を生成する請求項１１に記載の管楽器シンセサイザコントローラ。
【請求項１３】
前記コントローラの制御に従って、変換されたＭＩＤＩ信号を外部電子機器へと送出する通信部をさらに備え、前記コントローラは、前記生成された音階情報および音量情報を前記ＭＩＤＩ信号へと変換する請求項８に記載の管楽器シンセサイザコントローラ。
【請求項１４】
前記通信部は、ＵＳＢ、ＰＬＣ、ＬＡＮ、ＲＳ−２３２、ＲＳ−４８５、ＲＳ−４２２、ＩＥＥＥ１３９４、およびＨｏｍｅ  ＰＮＡから選択される一または複数を使用した有線ネットワーク上の有線電子機器と通信する有線通信部と、ジグビー、ＤＳＲＣ、ＲＦＩＤ、ブルートゥース、ＷＬＡＮ、ＷｉＦｉ、およびＷｉＢｒｏから選択される一または複数を使用した無線ネットワーク上の無線電子機器と通信する無線通信部とを有する請求項１３に記載の管楽器シンセサイザコントローラ。
【発明の詳細な説明】
【技術分野】
【０００１】
［関連出願の相互参照］
本出願は、２０１３年１０月１４日に韓国特許商標庁に出願された韓国特許出願第１０−２０１３−０１２１７８３号からの利益を主張し、その開示内容全体を参照によりここに組み込む。
【０００２】
本発明は管楽器シンセサイザコントローラに関する。より具体的には、従来の楽器のものと同じ操作によって演奏することが可能であり、また、正確な音階情報および音量情報を取得することのできる管楽器シンセサイザコントローラに関する。
【背景技術】
【０００３】
通常の管楽器型の電子楽器は、圧力センサを用いて呼気強度を測定し、ボタン型のスイッチとしての運指孔（音孔）を含むことによって運指情報を取得する構造を使用している。この構造においては、ボタン型のスイッチを押すので従来の楽器を演奏するような感覚に欠け、演奏することに対する興奮を引き起こすことが困難な傾向にある。
【発明の概要】
【０００４】
本発明は、マイクロホンを用いて呼気の強度を測定し、運指孔（音孔）に対応する位置にて運指孔から離れた非接触センサを装備することによって運指情報を取得することにより、従来の楽器のものと同じ操作によって演奏することが可能であり、また、正確な音階情報および音量情報を取得することのできる管楽器シンセサイザコントローラを提供するものである。
【０００５】
本発明の技術的目的は上記に記載されるものに限定されるわけではなく、下記の記載から、ここには具体的に述べられていないその他の技術的目的も本発明が含むことは、当業者には明らかであろう。
【０００６】
本発明の態様に従うと、管楽器シンセサイザコントローラは、吹き込まれる呼気によって生成される音を検出するマイクロホンと、検出された音響信号に基づいて呼気の強度を測定する呼気強度測定部と、測定された呼気強度に基づいて音量情報を生成するコントローラとを含む。音量情報は、少なくともノートオン、ノートオフ、およびベロシティを含む。
【図面の簡単な説明】
【０００７】
本発明の上記のおよびその他の特徴並びに利点は、添付の図面を参照しつつ、詳細で例示的なその実施例を記載することによって、より明らかになるであろう。
【図１】本発明の実施例に従った管楽器シンセサイザコントローラの分解斜視図である。
【図２】図１に示す管楽器シンセサイザコントローラの側断面図である。
【図３】図１に示す呼気強度測定部の詳細な構成図である。
【図４Ａ】図１に示す近接センサの動作原理を説明する例示的な図である。
【図４Ｂ】図１に示す近接センサの動作原理を説明する例示的な図である。
【図５】図１に示す管楽器シンセサイザコントローラと表示装置とが接続された構造を示す。
【発明を実施するための形態】
【０００８】
ここからは、添付の図面を参照しつつ、好ましい実施例がより詳細に記載される。また、よく知られた機能や構成の詳細な記載は、本発明の焦点を不必要にぼかすことが無いようにするために省略されるであろう。同様な参照番号は、全体を通して同様な要素を参照するものである。
【０００９】
まず、図１および図２を参照しつつ、管楽器シンセサイザコントローラが記載される。
【００１０】
図１は本発明の実施例に従った管楽器シンセサイザコントローラの分解斜視図であり、図２は図１に示す管楽器シンセサイザコントローラの側断面図である。
【００１１】
図１および図２を参照すると、管楽器シンセサイザコントローラ１は、少なくとも、外観を形成する上パイプ１０、中間パイプ２０、および下パイプ３０、並びに、音階情報と音量情報を生成する回路部４０を含んでよい。
【００１２】
実施例においては、この管楽器シンセサイザコントローラ１はその外観が縦笛のようなパイプ形状を有するように実施されているが、これに限定されるものではなく、管楽器として使用できる全ての種類が可能である。
【００１３】
管楽器シンセサイザコントローラ１の外観構造が詳細に記載されている。上パイプ１０は、マウスピース側に形成された歌口１１、および、歌口１１を通って吹き込まれる呼気の供給路（空気の通る道）を形成する上部プレート１２ａと下部プレート１２ｂを含んでよい。ここで下部プレート１２ｂは上部プレート１２ａ内に挿入され、内部空間、すなわち呼気の供給路（空気の通る道）が形成され、呼気が歌口１１から吹き込まれて回路部４０のマイクロホン４１へと供給されることができる。
【００１４】
中間パイプ２０は、自身を通して形成される少なくとも１つの運指孔（音孔）２２を有する上部プレート２１ａと下部プレート２１ｂとを含んでよい。上部プレート２１ａと下部プレート２１ｂとは、回路部４０が埋め込まれる内部空間を形成するように組み合わされてよい。ここで、形成された内部空間に回路部４０が埋め込まれ、複数の運指孔が通るように形成されている中間パイプ２０の上部プレート２１ａから、予め定められた間隔だけ離された空間が回路部４０上に生成される。従って、回路部４０の近接センサ４５は、運指孔２２から離されていてよい。
【００１５】
下パイプ３０は、中間パイプ２０の一方側の端部に挿入されるような型式で組み合わされてよく、中間パイプ２０の上部プレート２１ａと下部プレート２１ｂとの組合せを維持および固定する役割を果たしてよい。
【００１６】
回路部４０は、基板に設置され、吹き込まれる呼気によって生成される音を検出するマイクロホン４１、検出された音響信号に基づいて呼気強度を測定する呼気強度測定部４２、近接センサ４５の検出信号に基づいて生成された音階情報をミディ（Ｍｕｓｉｃａｌ  Ｉｎｓｔｒｕｍｅｎｔ  Ｄｉｇｉｔａｌ  Ｉｎｔｅｒｆａｃｅ：ＭＩＤＩ）信号に変換しＭＩＤＩ信号を出力するコントローラ４３、ＭＩＤＩ信号を送出する通信部４４、および、運指孔２２に対する指の接触に従って検出信号を生成する近接センサ４５を少なくとも含んでよい。
【００１７】
実施例におけるマイクロホン４１は、コンデンサマイクロホンを使用してよいが、これに限定されるものではなく、ユーザに所望される機能に適合するように選択されてよい。
【００１８】
このマイクロホン４１は、演奏者によって歌口１１を通して吹き込まれる呼気によって生成される音を検出し、検出された音響信号を電気信号として出力してよい。ここで出力される電気信号は、波形を有するＡＣ電圧であってよい。
【００１９】
呼気強度測定部４２は、マイクロホン４１から出力された電気信号にフィルタ処理を行って特定の周波数帯域を持つようにし、フィルタ処理された周波数をＤＣ出力電圧に変換することによって呼気強度を測定してよい。さらに、呼気強度測定部４２の構成および動作に関する記載は、図３を参照しつつ、以下において詳細に提供される。
【００２０】
指が運指孔２２に接触すると、近接センサ４５がこれを検出し、検出信号を生成してよい。近接センサ４５は、運指孔２２に対応し、運指孔２２からは離された位置に設けられた非接触センサであってよい。
【００２１】
例えば近接センサ４５は、周期的に赤外線を発生する発光部と、赤外線を受け取る受光部とを含む赤外線センサを有するように構成されてよい。
【００２２】
そのように、近接センサ４５が非接触センサによって実施されるので、従来の楽器と同じ構造を有する運指孔が形成されてよく、演奏者は、従来の楽器と同じような触った感覚で演奏することができるであろう。
【００２３】
指の接触を正確に検出するため、近接センサ４５は、赤外線のような光線によって識別情報を生成し、指によって反射された光線および識別情報を検出し、検出信号を生成してよい。これによって、太陽光に含まれる赤外線のような、指による反射以外の意味の無い信号が除去され、実際の指の接触による検出信号のみが識別されてよい。
【００２４】
さらに、本発明において近接センサ４５は、実際の指の接触があるかどうかに関する決定が検出信号から実行されるかどうかに従って、２つの実施例によって実施されてよい。
【００２５】
まず第一に、第１の実施例に従った近接センサ４５は、指の接触を検出するための光線および識別情報を周期的に送出し、光線または反射されて戻された光線と識別情報とを受け取ってよく、また、検出信号を生成してよい。
【００２６】
言い換えると、第１の実施例に従った近接センサ４５は、受け取った情報の中に識別情報が含まれるかどうかを検証することなく検出信号を生成し、検出信号をコントローラ４３へと供給してよい。その後コントローラ４３は、識別情報が受け取られたかどうかについて供給された検出信号を解析し、実際に指が接触したかどうかを決定してよく、その後、対応する運指情報を結び付けてよい。
【００２７】
次に、指の接触を検出するために近接センサ４５は、光線および識別情報を周期的に送出し、光線または反射されて戻された光線および識別情報を受け取り、識別情報が含まれるかどうかを検証し、その後、識別情報が含まれている場合にのみ検出信号を生成してよい。
【００２８】
言い換えると、第２の実施例に従った近接センサ４５は、受け取った情報の中に識別情報が含まれるかどうかを検証し、その後、検出信号を生成し、これをコントローラ４３へと供給してよい。次いで制御部４３は、供給された検出信号に対応する指の情報を結び付けてよい。
【００２９】
さらに制御部４３は、呼気強度測定部４２によって測定された呼気強度情報に基づいて音量情報を生成し、近接センサ４５によって生成された検出信号に基づいて音階情報を生成してよい。ここで音量情報は、ノートオン、ノートオフ、およびベロシティを表すノートデータ情報であってよい。音階情報は、演奏者の指が配置されている運指位置に対応する音階を表す情報であってよい。
【００３０】
詳細に言うと、コントローラ４３は、測定された呼気強度情報を定められた第１閾値と比較してよい。比較結果として、測定された呼気強度が第１閾値よりも小さくはない場合、制御部４３はノートオン情報を生成してよい。そうでない場合は、制御部４３はノートオフ情報を生成してよい。ここで第１閾値は、音のノートオフからノートオンを区別するための値であってよい。
【００３１】
さらに制御部４３は、測定された呼気強度情報を第２閾値と比較してよい。測定された呼気の値が第２閾値よりも小さくはない場合、制御部４３は、測定された呼気強度に対応するベロシティ情報を生成してよい。ここで第２閾値は、音の強度（強さ）を区別するための値であってよく、第１閾値と第２閾値とは同じに、あるいは、互いに異なるように設定されてよい。
【００３２】
さらに制御部４３は、近接センサ４５によって生成された検出信号中に識別情報が含まれるかどうかをチェックし、識別情報を含んだ検出信号のみを実際の指の接触によって生成された有効なデータとして決定し、識別情報を含まない検出信号を除去してよい。
【００３３】
その後制御部４３は、有効な検出信号情報に基づいて指の運指位置を把握し、それに応じて運指情報を結び付け、結び付けられた運指情報によって音階情報を生成してよい。例えば制御部４３は、運指情報とこれに対応する音階情報とに関するマッチング情報を予め格納しておいてよく、検出信号に基づいて結び付けられた運指情報に対応する音階情報に関するマッチング情報を検索してよい。
【００３４】
一方、制御部４３は、生成された音量情報および音階情報をＭＩＤＩ信号に変換してよい。言い換えると、制御部４３は、ＭＩＤＩプロセッサ機能を実行し、生成された音量情報および音階情報をＭＩＤＩ信号に変換し、音響出力手段（例えばスピーカ）から出力されるようにＭＩＤＩ信号を出力しよてい。
【００３５】
通信部４４は、有線ネットワーク上の有線電子機器との通信を可能にする有線通信部、および、無線ネットワーク上の無線電子機器との通信を可能にする無線通信部を含んでよい。ここで有線ネットワークは、ＵＳＢ、プログラム可能なロジックコントローラ（ＰＬＣ）、ＬＡＮ、ＲＳ−２３２、ＲＳ−４８５、ＲＳ−４２２、ＩＥＥＥ１３９４、およびＨｏｍｅ  Ｐｈｏｎｅｌｉｎｅ  Ｎｅｔｗｏｒｋｉｎｇ  Ａｌｌｉａｎｃｅ（ＰＮＡ）から選択される任意の一または複数を用いてよい。無線ネットワークは、ジグビー、狭域通信（ＤＳＲＣ）、無線自動識別（ＲＦＩＤ）、ブルートゥース、ＷＬＡＮ、ＷｉＦｉ、およびＷｉＢｒｏから選択される任意の一または複数を用いてよい。
【００３６】
通信部４４は、コントローラ４３の制御に従って、変換されたＭＩＤＩ信号を外部電子機器へと送出する。外部電子機器は表示装置、スピーカ、またはコンピュータ端末であってよい。
【００３７】
このように、本発明に従った管楽器シンセサイザコントローラを使用することにより、呼気から生成される音を検出し、呼気強度を測定することによって、正確な音量情報が取得されるであろう。管楽器シンセサイザコントローラは、非接触センサを使用して指が運指孔に接触したかどうかを検出することにより、従来の楽器と同じ触った感覚で演奏されるであろう。また、識別情報を有する有効な検出信号から、指が運指孔に接触したかどうかを決定することにより、正確な音階情報を取得できるであろう。
【００３８】
図３は、図１に示される呼気強度測定部の詳細な構成図を示す。
【００３９】
図３を参照すると、本発明に従った呼気強度測定部４２は、マイクロホンから出力された電気信号（ＡＣ電圧）から不要な高周波数帯域を除去し、電気信号をＤＣ出力電圧に変換することを実行するための、第１フィルタリング部４２１、第１周波数−電圧変換部４２２、切替部４２３、第２周波数−電圧変換部４２４、第２フィルタリング部４２５を少なくとも含んでよい。
【００４０】
詳細に言うと、第１フィルタリング部４２１は、マイクロホン４１から出力される電気信号（ＡＣ電圧）をフィルタ処理し、特定の定められた周波数帯域のみを通す。第１フィルタリング部４２１は、高周波遮断フィルタまたはローパスフィルタであってよいが、これに限定されるものではなく、特定の周波数帯域のみが通されるように実施される種類の任意の回路構成が可能である。ここで、特定の周波数帯域としては、１００Ｈｚよりも高くない周波数帯域が好ましい。本発明においてマイクロホン４１は、２０Ｈｚよりも高くない周波数帯域を除去するように設計されてよく、最終的に使用される周波数帯域は２０Ｈｚから１００Ｈｚの周波数帯域であってよい。参考としては、２０Ｈｚから１００Ｈｚの範囲の周波数帯域は、衝突のような衝撃を除いた大部分の音声信号の帯域よりも低く位置しており、周囲の音声やノイズによって影響されない。
【００４１】
さらに、第１周波数−電圧変換部４２２は、フィルタ処理された周波数帯域の振幅またはパワーに比例してＤＣ出力電圧変換を実行してよい。例えば、第１周波数−電圧変換部４２２は、フィルタ処理された周波数帯域に対する二乗平均平方根（ＲＭＳ）値を算出することによって、第１呼気強度としてＤＣ電圧を出力してよい。
【００４２】
その後、コントローラ４３は、第１周波数−電圧変換部４２２によって変換されたＤＣ出力電圧（第１呼気強度）を、予め定められた第１閾値と比較する。比較結果として、変換されたＤＣ出力電圧（第１呼気強度）が第１閾値よりも小さくない場合、制御部４３はノートオン情報を生成してよい。そうでない場合、制御部４３はノートオフ情報を生成してよい。
【００４３】
切替部４２３は、第１周波数−電圧変換部４２２によって変換されたＤＣ電圧（第１呼気強度）を受け取り、受け取ったＤＣ電圧（第１呼気強度）を第２閾値と比較してよい。比較結果として、受け取ったＤＣ電圧（第１呼気強度）が第２閾値よりも小さくない場合、切替部４２３は、マイクロホン４１から出力された電気信号（ＡＣ電圧）を変化させることなく受け取り、これを第２周波数−電圧変換部４２４へと供給してよい。そうでない場合、切替部４２３は、何の電圧信号も出力しないか、あるいは、０を出力してよい。
【００４４】
第２周波数−電圧変換部４２４は、切替部から供給された電気信号（ＡＣ電圧）の振幅またはパワーに比例して、ＤＣ出力電圧変換を実行してよい。例えば、第２周波数−電圧変換部４２４は、供給された電気信号（ＡＣ電圧）に対するＲＭＳ値を算出することによって、第２呼気強度としてＤＣ電圧を出力してよい。
【００４５】
第２フィルタリング部４２５は、変換されたＤＣ出力電圧（第２呼気強度）からノイズを除去してよく、ローパスフィルタであってよい。第２フィルタリング部４２５は省略されてもよい。
【００４６】
その後、コントローラ４３は、第２フィルタリング部４２５からのノイズが除去されたＤＣ出力電圧（第２呼気強度）に対応するベロシティ情報を生成してよい。あるいは、第２フィルタリング部４２５が省略されている場合、コントローラ４３は、第２周波数−電圧変換部４２４から出力される変換されたＤＣ出力電圧（第２呼気強度）に対応するベロシティ情報を生成してよい。
【００４７】
このように、本発明に従った呼気強度測定部４２は、マイクロホン４１によって検出された音響信号から音響成分を除去し、呼気成分による電圧値（ＲＭＳ値）を算出することによって、呼気強度（第１および第２呼気強度）を測定してよい。その結果、ノートオン、ノートオフ、およびベロシティを含んだ音量情報が、測定された呼気強度によって生成されてよい。
【００４８】
図４Ａおよび図４Ｂは、図１に示す近接センサの動作原理を説明する例示的な図である。図４Ａは、運指孔との指の接触が無い状態を示す。図４Ｂは、運指孔との指の接触がある状態を示す。ここでは近接センサは、指の接触を検出するための光線と一緒に識別情報を送出および受け取るように記載される。しかしながら、光線のみが送出および受け取られるような構成も可能である。この場合、その動作は、識別情報と一緒に光線が送出および受け取られる構成と同じ動作原理で実行されてよい。従って、これに関する記載は省略する。
【００４９】
図４Ａを参照すると、近接センサ４５は、中間プレートの上部プレート２１ａを通して形成された運指孔２２からは離れて配置されている。この近接センサ４５は、赤外線Ｌと一緒に識別情報Ｄを周期的に送出（Ｘ）する。識別情報Ｄと赤外線Ｌとは、運指孔２２を通って外部に伝搬してよい。ここでは、識別情報Ｄは１ｋＨｚのパルスデータであってよいが、これに限定されるものではなく、近接センサから送出された赤外線が反射されて受け取られたかどうかをチェックできるような任意の種類のものが使用できる。
【００５０】
図４Ｂを参照すると、近接センサ４５から送出された送出波Ｘは、運指孔２２と接触した指Ｆによって反射され、近接センサ４５によって受け取られる（Ｙ）。ここで、近接センサ４５によって受け取られた受信波Ｙは、赤外線、および赤外線と一緒に送出された識別情報を含む。
【００５１】
第１の実施例に従うと、近接センサ４５は、識別情報Ｄが受け取られたかどうかについて受け取った受信波Ｙをチェックすることなしに検出信号を生成し、検出信号をコントローラ４３へと供給してよい。
【００５２】
一方、第２の実施例に従うと、近接センサ４５は、識別情報Ｄが受け取られたかどうかについて受け取った受信波Ｙをチェックし、識別情報Ｄを受け取った場合にのみ検出信号を生成し、検出信号を制御部４３へと供給してよい。
【００５３】
従って、通常の赤外線センサであれば外部の太陽光から赤外線を受け取って誤った検出信号を生成し得るのに対し、本発明に従った近接センサは、識別情報を通じて有効な検出信号を決定し、誤った検出信号を生成することを防止できるであろう。
【００５４】
図５は、図１に示す管楽器シンセサイザコントローラが表示装置に接続されたシステム全体を示す。
【００５５】
図５を参照すると、本発明に従った管楽器シンセサイザコントローラ１および表示装置２は、有線ネットワークまたは無線ネットワークを介して接続されてよい。ここで有線ネットワークは、ＵＳＢ、ＰＬＣ、ＬＡＮ、ＲＳ−２３２、ＲＳ−４８５、ＲＳ−４２２、ＩＥＥＥ１３９４、およびＨｏｍｅ  ＰＮＡから選択される一または複数を用いてよく、無線ネットワークは、ジグビー、ＤＳＲＣ、ＲＦＩＤ、ブルートゥース、ＷＬＡＮ、ＷｉＦｉ、およびＷｉＢｒｏから選択される一または複数を用いてよい。
【００５６】
詳細に言うと、演奏者によって管楽器シンセサイザコントローラ１は演奏され、管楽器シンセサイザコントローラ１によって生成された音量情報および音階情報を含むＭＩＤＩ信号が表示装置２へと供給される。表示装置２は、供給されたＭＩＤＩ信号を受け取り、音階情報に従って楽譜の像を生成し、これらの像を表示してよく、また、表示装置２に接続されたスピーカ３によって、音階情報および音量情報に従った楽音を出力してよい。
【００５７】
例えば、管楽器シンセサイザコントローラ１を用いて演奏者により演奏された音楽の進行と共に、楽譜の像、すなわち、運指情報に従って音階が五線紙に書かれたスクリーンが表示装置２に出力されてよく、また、楽譜の像に従ってスピーカ２によって楽音が出力されてよい。
【００５８】
図面中には示されていないが、この目的のために、表示装置２はその中に、ＭＩＤＩ信号を処理し、楽譜の像および楽音を出力するように制御するコントローラを含んでよい。コントローラはマイクロコントローラによって実施されてよい。
【００５９】
例えば、コントローラは、管楽器シンセサイザコントローラから入力されるＭＩＤＩ信号を受け取り、演奏の操作に従って音階情報および音量情報（ノートデータ）をＭＩＤＩ信号から検出し、楽音を生成し、検出された音階情報を用いて音階の像を作成してよい。
【００６０】
このように、本発明に従った管楽器シンセサイザコントローラ１は、ブルートゥースのような無線ネットワーク、並びに、ケーブル接続のような有線ネットワークを通して、表示装置２のような外部電子機器へとＭＩＤＩ信号を供給してよい。
【００６１】
本発明の実施例に従った管楽器シンセサイザコントローラに対して、ノイズの無い周波数帯域を取得することができる。これを用いることにより、マイクロホンを使用して呼気の強度を測定することができる。従って、より正確な音量情報を生成することができる。
【００６２】
さらに、本発明の実施例に従うと、管楽器シンセサイザコントローラは、運指孔からは離れて形成された非接触センサを用いて運指情報を取得することにより、従来の楽器のものと同じ操作によって演奏することが可能である。
【００６３】
さらに、本発明の実施例に従うと、非接触センサが、光線と一緒に識別情報を送出および受け取るように構成することによって、指が管楽器シンセサイザコントローラに接触するかどうかが、より正確に検出される。従って、より正確な運指情報を取得することができ、より正確な音階情報を生成することができる。
【００６４】
さらに、本発明の実施例に従うと、運指孔からは離れて装備された非接触センサを使用することによって、従来の楽器と同じ形状を有する管楽器シンセサイザコントローラを製造することができ、演奏者は従来の楽器を演奏しているような感覚を持つことができる。
【００６５】
発明は、その好ましい実施例を参照しつつ具体的に示され、記載されてきたが、添付の請求項によって定義される発明の精神および範囲を逸脱することなく、形状や詳細における様々な変化をそこでは行い得ることが当業者には理解されるであろう。好ましい実施例は説明的な意味合いとしてのみ考慮されるべきであり、限定を目的として考慮されるべきではない。従って、発明の範囲は、発明を実施するための形態によってではなく、添付の請求項によって定義される。また、範囲内の全ての差異は、本発明に含まれるものとして解釈されるであろう。
【図１】
2015079245.tif 000003
【図２】
2015079245.tif 000004
【図３】
2015079245.tif 000005
【図４Ａ】
2015079245.tif 000006
【図４Ｂ】
2015079245.tif 000007
【図５】
2015079245.tif 000008